(57)【要約】【課題】  従来のパチンコ機では、不正行為を行っている遊技者の遊技を中止させることや、遊技機を管理する管理者側が不正を摘発することはできなかった。【解決手段】  不正電波の影響による検出信号の受信レベルは出力基準電圧よりも高いので、不正電波の影響による磁気の変化を磁気検出素子７１が検出すると、ピークホールド回路７４からコンパレータ７５に出力基準電圧を超える検出信号の受信レベルが入力され、コンパレータ７５からは不正検知信号が出力される。出力判定器７７では、シュミット回路７６から下限レベル以上の検出信号が入力され、コンパレータ７５から不正検知信号が入力されるため、磁気検出素子７１での検知が異常であると判別されて、異常検知信号がメインＣＰＵ３１に出力される。【選択図】  図３
2007007034.tif 000002
【特許請求の範囲】
【請求項１】
遊技球が通過可能な遊技盤の所定領域で生じる物理現象の変化を検出する検出部と、
前記所定領域を遊技球が通過する際に生じる物理現象とは異なる物理現象の変化を前記検出部が検出したことに基づいて不正を検出する不正検出手段と、この不正検出手段が不正を検出したことに基づいて不正を検出したことを示す不正信号を出力する出力手段とを備えたことを特徴とする遊技機。
【請求項２】
遊技機の動作を制御する制御手段を備え、
前記出力手段は、前記不正検出手段が不正を検出したことに基づいて前記制御手段に前記不正信号を出力して、前記制御手段による遊技機の動作の制御を不正の検出に応じた制御にさせることを特徴とする請求項１に記載の遊技機。
【請求項３】
前記検出部は、検出した物理現象の変化を電気信号として検出し、
前記不正検出手段は、前記検出部が検出した電気信号レベルが、前記所定領域を遊技球が通過した際に検出される電気信号レベルよりも大きい所定電気信号レベルである場合に不正と判定する
ことを特徴とする請求項１または請求項２に記載の遊技機。
【請求項４】
前記出力手段は、前記不正検出手段が不正を検出していないときと異なる長さの前記不正信号を出力することを特徴とする請求項１から請求項３の何れか１項に記載の遊技機。
【発明の詳細な説明】
【技術分野】
【０００１】
本発明は、遊技球が通過可能な遊技盤の所定領域で生じる物理現象の変化を検出する検出部を備える遊技機に関するものである。
【背景技術】
【０００２】
従来、この種の遊技機としては例えばパチンコ機がある。一般的にパチンコ機では、遊技盤に打ち込まれたパチンコ球が、遊技盤の盤面を流下する途中で一般入賞口に入賞すると、賞球の払い出しが行われる。また、パチンコ球が通過ゲートを通過すると、始動入賞口が所定時間開く。開いた始動入賞口にパチンコ球が入賞すると、賞球の払い出しが行われると共に、特別図柄の変動表示が行われる。変動表示が停止したときの特別図柄の組合せが特定の態様となると、大当たり遊技が行われる。大当たり遊技では、大入賞口が所定時間開き、開いた大入賞口にパチンコ球が入賞すると賞球の払い出しが行われる。また、開いた大入賞口内のＶゾーンにパチンコ球が入賞すると、閉じた大入賞口が再度開いて大当たり遊技が継続される。通過ゲートやＶゾーン、各入賞口といった遊技球が通過可能な所定領域には、通過したパチンコ球を検出する球通過センサが設けられている。この球通過センサとしては、ホール素子・永久磁石を利用した近接センサを用いたものや、ＬＥＤ（発光ダイオード）・ＰＤ（フォトダイオード）を利用したフォトセンサを用いたものが知られている。
【０００３】
球通過センサに対する不正行為として、フォトセンサの場合には意図的に光を照射させ、近接センサの場合には電波発信器によって意図的に電磁波を飛ばして、センサに誤検出をさせることにより、不正に賞球の払い出しを受ける行為がある。このような不正行為に対応するために、下記の特許文献１に示すパチスロ機では、不正検出時に球通過センサの球検出部から検出信号が出力されることを阻止し、賞球の払い出しを行わないように構成した遊技球検出装置が提案されている。
【特許文献１】特開平１０−２８６３４４号公報（段落[００２１]〜[００２２]および図６参照）
【発明の開示】
【発明が解決しようとする課題】
【０００４】
しかしながら、上記従来のパチスロ機における遊技球検出装置のように、不正検出時に球通過センサからの検出信号の出力を阻止する構成では、不正行為検出時に球払出装置による賞球の払い出しを中止するといった不正防止が一時的にできるものの、不正行為を行っている遊技者の遊技そのものを中止させたり、遊技機を管理する管理者側が不正を摘発するといった根本的な不正防止対策を講じることは出来なかった。
【０００５】
そこで、本発明は、球通過センサへの不正行為を防止することが可能であるとともに、不正行為検出時に球払出装置以外の装置も制御することによって、不正行為者の排除および不正の摘発を行うことが可能な遊技機を提供することを目的とする。
【課題を解決するための手段】
【０００６】
このために本発明は、遊技球が通過可能な遊技盤の所定領域で生じる物理現象の変化を検出する検出部と、所定領域を遊技球が通過する際に生じる物理現象とは異なる物理現象の変化を検出部が検出したことに基づいて不正を検出する不正検出手段と、この不正検出手段が不正を検出したことに基づいて不正を検出したことを示す不正信号を出力する出力手段とを備えたことを特徴とする。
【０００７】
この構成によれば、不正行為が行われて、所定領域を遊技球が通過する際に生じる物理現象とは異なる物理現象の変化を検出部が検出すると、不正検出手段が不正を検出して、不正を検出したことを示す不正信号が出力される。このため、この不正信号を用いることにより、不正検出時に単に賞球の払い出しを一時的に中止するだけでなく、不正行為を行っている遊技者の遊技そのものを中止させたり、遊技機を管理する管理者側が不正を摘発するといった、根本的な不正防止対策を講じることも可能となる。
【０００８】
また、本発明は、遊技機の動作を制御する制御手段を備え、出力手段は、不正検出手段が不正を検出したことに基づいて制御手段に不正信号を出力して、制御手段による遊技機の動作の制御を不正の検出に応じた制御にさせることを特徴とする。
【０００９】
この構成によれば、検出部で不正が検出されて不正信号が出力されると、この信号を受信した制御手段によって遊技機の動作の制御が不正の検出に応じた制御になる。このため、例えば、不正行為を報知したり、遊技球の発射制御，賞球払出，特別図柄の変動等を中止するといった遊技機の制御を行うことが可能となる。
【００１０】
また、本発明は、検出部は、検出した物理現象の変化を電気信号として検出し、不正検出手段は、検出部が検出した電気信号レベルが、所定領域を遊技球が通過した際に検出される電気信号レベルよりも大きい所定電気信号レベルである場合に不正と判定することを特徴とする。
【００１１】
電波発信器によって意図的に電波を飛ばし、検出部に誤検出をさせることによって、不正に賞球の払い出しを受ける電磁波を利用した不正行為の場合、検出部で検出される電気信号レベルは、遊技球通過の際に検出される電気信号レベルに比して大きくなる。従って、この構成によれば、検出部が検出した電気信号レベルが、所定領域を遊技球が通過した際に検出される電気信号レベルよりも大きいレベルである場合に、不正判定手段により不正と判定されるので、電磁波を利用した不正行為を防止することができる。
【００１２】
また、本発明は、出力手段は、不正検出手段が不正を検出していないときと異なる長さの不正信号を出力することを特徴とする。
【００１３】
この構成によれば、不正信号は、不正検出手段が不正を検出していないときと信号の長さが異なるだけなので、不正検出手段から出力される信号を受信して、受信した信号が不正信号であるか否かを見分ける回路を簡単な回路構成にすることができる。
【発明の効果】
【００１４】
本発明によれば、上記のように、不正行為を行っている遊技者の遊技そのものを中止させたり、遊技機を管理する管理者側が不正を摘発するといった、根本的な不正防止対策を講じることが可能な遊技機が提供される。
【発明を実施するための最良の形態】
【００１５】
次に、本発明を実施するための最良の形態について説明する。
【００１６】
図１は、本発明による遊技機をパチンコ機に適用した最良の実施形態によるパチンコ機１０の正面図である。
【００１７】
パチンコ機１０の正面には遊技盤１１が設けられており、その下方には上皿１２が設けられている。上皿１２の下方右側には、レール１３を介して遊技盤１１へパチンコ球を打ち込む際に操作されるハンドル１４が設けられている。また、遊技盤１１の上方には電飾ＬＥＤ（発光ダイオード）１５ａおよび異常報知ＬＥＤ１５ｂが設けられている。
【００１８】
遊技盤１１の盤面中央には、特別図柄表示装置であるＬＣＤ（液晶表示装置）１６が設けられている。このＬＣＤ１６には、左図柄、中図柄および右図柄からなる３列の複数の特別図柄が表示され、また、これら特別図柄の背後に演出画が表示される。ＬＣＤ１６の上方には、緑色ＬＥＤおよび赤色ＬＥＤが左右に並設された普通図柄表示装置１７が設けられており、この普通図柄表示装置１７を挟んで４つのＬＥＤからなる普通始動記憶個数表示部１８が設けられている。また、ＬＣＤ１６の下側には４つのＬＥＤからなる特別始動記憶個数表示部１９が設けられており、また、ＬＣＤ１６の左右には通過孔２０が設けられている。また、ＬＣＤ１６の下方には始動入賞口２１が設けられており、始動入賞口２１の下方には大入賞口２２、その左右には一般入賞口２３が設けられている。
【００１９】
普通始動記憶個数表示部１８には通過孔２０へのパチンコ球の通過が保留玉として最大４個まで記憶され、特別始動記憶個数表示部１９には始動入賞口２１へのパチンコ球の入賞が保留玉として最大４個まで記憶される。
【００２０】
また、上記のパチンコ機１０の左側方にはカードユニット２４が設けられている。このカードユニット２４のカード挿入口２４ａにカード残高の記録されたカードが挿入され、遊技者によって所定の貸球操作が行われると、予め設定されている貸出単位額分のパチンコ球が上皿１２に貸し出される。
【００２１】
図２は、本実施形態によるパチンコ機１０の遊技動作を処理制御する電子回路の主な構成を示すブロック図である。この電子回路は、遊技処理を制御する主制御回路３０や、この主制御回路３０からの指示に従って遊技の演出を行う演出制御回路４０、賞球等の払い出しやパチンコ球の発射を制御する払出・発射制御回路６０等から構成されている。上記のカードユニット２４はこの払出・発射制御回路６０に接続されている。
【００２２】
主制御回路３０には、メインＣＰＵ３１や初期リセット回路３２、シリアル通信用ＩＣ３３といった電子部品が実装されている。また、主制御回路３０には、メインＣＰＵ３１がパチンコ機１０の遊技動作を処理制御するためのプログラムが記憶格納された図示しないメインＲＯＭや、処理制御時にデータが一時的に記憶される図示しないメインＲＡＭ（ランダムアクセスメモリ）も実装されている。初期リセット回路３２は、主制御回路３０の起動時にメインＲＡＭに記憶されている遊技状態の内容を消去するリセット信号を発する。また、シリアル通信用ＩＣ３３は、メインＣＰＵ３１から送出される制御信号を各制御回路４０，６０へシリアルに送信する。
【００２３】
主制御回路３０には、通過孔２０の内側に設けられ、パチンコ球が通過孔２０を通過するのを検知するゲートスイッチ２０Ｓや、始動入賞口２１に入賞したパチンコ球を検知する始動入賞球スイッチ２１Ｓが接続されている。また、大入賞口２２に入賞したパチンコ球を検知するカウントスイッチ２２Ｓ、大入賞口２２内部の特定領域を通過したパチンコ球を検知するＶカウントスイッチ２２Ｖ、一般入賞口２３へ入賞したパチンコ球を検知する一般入賞球スイッチ２３Ｓが接続されている。また、主制御回路３０には、アクチュエータとして、始動入賞口２１の球受入口を拡張させる始動入賞口ソレノイド２１ａ、大入賞口２２の扉を開閉させる大入賞口ソレノイド２２ａ、大入賞口２２内部の特定領域にパチンコ球が入賞した後にパチンコ球を特定領域以外へ誘導する特定領域誘導装置３４等が接続されている。
【００２４】
上記各スイッチ２０Ｓ，２１Ｓ，２２Ｓ，２２Ｖ，２３Ｓがパチンコ球を検知すると、その検知信号は主制御回路３０のメインＣＰＵ３１に入力され、入力される検知信号に応じて、メインＣＰＵ３１は上記各アクチュエータ２１ａ，２２ａ，３４をそれぞれ駆動制御する。
【００２５】
演出制御回路４０は、ＬＣＤ１６における画像表示を行う画像表示制御、スピーカ４７から効果音を放音させる音制御、及び遊技状態や異常検出に応じて電飾ＬＥＤ１５ａや異常報知ＬＥＤ１５ｂの発光制御を行う。この演出制御回路４０には、サブＣＰＵ４１、プログラムＲＯＭ４２、ワークＲＡＭ４３が実装されている。サブＣＰＵ４１は、主制御回路３０から受信した制御指令の解釈や、ＶＤＰ（ビデオ・ディスプレイ・プロセッサ）４４のパラメータ設定を行う。プログラムＲＯＭ４２には、サブＣＰＵ４１がＬＣＤ１６や、スピーカ４７、電飾ＬＥＤ１５ａの各動作を処理制御するための制御プログラムが記憶格納されている。ワークＲＡＭ４３は、サブＣＰＵ４１が上記制御プログラムに従って処理制御を行う際の一時的な記憶手段となる。
【００２６】
また、演出制御回路４０には、画像データＲＯＭ４５、ＶＤＰ４４、及び初期リセット回路４６が実装されている。画像データＲＯＭ４５は、ＬＣＤ１６に表示する画像を形成するためのドットデータを記憶格納する。ＶＤＰ４４は、サブＣＰＵ４１で設定されたパラメータに応じて画像データＲＯＭ４５内のドットデータを読み込み、ＬＣＤ１６に表示するための画像データを生成する。初期リセット回路４６は、演出制御回路４０をリセットするリセット信号を発する。
【００２７】
メインＣＰＵ３１は、始動入賞口２１へパチンコ球が入賞して始動入賞が発生すると大当たり判定を行う。演出制御回路４０は、この大当たり判定の結果に対応する態様でＬＣＤ１６に特別図柄を順次停止表示させ、左図柄と右図柄とが同一図柄で揃って停止表示されるリーチ状態になると、ＬＣＤ１６に特別図柄および演出画を用いてリーチ演出を行う。
【００２８】
また、演出制御回路４０には、スピーカ４７を制御するスピーカ駆動回路、及び電飾ＬＥＤ１５ａや異常報知ＬＥＤ１５ｂを発光制御するドライブ回路５２が設けられており、サブＣＰＵ４１からスピーカ駆動回路やドライブ回路５２にそれぞれ駆動信号が出力される。
【００２９】
スピーカ駆動回路は、効果音の原信号生成部である音源ＩＣ４８と、これに接続された効果音記憶部である音源データＲＯＭ４９、及び音源ＩＣ４８から出力された音信号を増幅する増幅部であるアンプ５０と、音量出力レベルを指定する音量切換スイッチ５１とから構成されている。ドライブ回路５２は、サブＣＰＵ４１からの駆動信号によりパチンコ機１０の遊技状態に応じて電飾ＬＥＤ１５ａの発光を制御する電飾制御、および各スイッチ２０Ｓ，２１Ｓ，２２Ｓ，２２Ｖ，２３Ｓについての後述する異常検出に応じて異常報知ＬＥＤ１５ｂを発光させる発光制御を行う。
【００３０】
払出・発射制御回路６０には、賞球や貸球を払い出す払出装置６１及び遊技盤１１にパチンコ球を発射する発射装置６２が接続されている。払出・発射制御回路６０は、各種入賞に応じて主制御回路３０から出力される賞球払出指令信号に応じて払出装置６１を駆動制御し、賞球を払い出させると共に、ハンドル１４の操作に応じて発射装置６２を駆動制御し、パチンコ球を発射させる。払い出される賞球は賞球カウントスイッチ６３によってカウントされ、そのカウント値は払出・発射制御回路６０および主制御基板３０に出力される。また、払出・発射制御回路６０は、カードユニット２４から出力される貸球払出指令信号に応じて払出装置６１を駆動制御し、貸球を払い出させる。払い出される貸球は貸球カウントスイッチ６４によってカウントされ、そのカウント値は払出・発射制御回路６０に出力される。
【００３１】
図３は、始動入賞球スイッチ２１Ｓの回路構成を示している。始動入賞球スイッチ２１Ｓ以外の各スイッチ２０Ｓ，２２Ｓ，２２Ｖ，２３Ｓ，６３，６４も、これと同様な回路構成をしており、図示は省略する。
【００３２】
磁気検出素子７１は、ホール素子や磁気抵抗素子等から構成されており、始動入賞口２１内をパチンコ球が通過すると生じる磁気変化を検出して球通過検出信号を電気信号として出力する。磁気検出素子７１は、パチンコ球が通過可能な遊技盤１１の所定領域、始動入賞球スイッチ２１Ｓでは始動入賞口２１の開口領域で生じる物理現象の変化、本実施形態では磁気の変化を検出する検出部を構成している。
【００３３】
増幅器７２は、磁気検出素子７１から出力された検出信号を増幅する。ノイズフィルタ７３は、増幅器７２から出力された信号に含まれる外来ノイズ等の高周波帯域の周波数成分を除去する回路であり、パルス発生回路７９から入力される同期パルスに同期して動作する。シュミット回路７６は、検出信号の受信レベルを判定する回路であり、ノイズフィルタ７３を通して入力された検出信号の受信レベルが、所定のスレシホルドレベルに相当する下限レベル以上である場合には、磁気検出素子７１でパチンコ球の通過検知があったものと判定し、検出信号を出力する。
【００３４】
ピークホールド回路７４は、シュミット回路７６から検出信号が出力されているときに、ノイズフィルタ７３を通して入力された検出信号の受信レベルの最大値をホールドして出力する回路である。コンパレータ７５は、反転入力端子に所定の電圧が出力基準電圧として与えられており、非反転入力端子にピークホールド回路７４から入力される受信レベルの最大値が入力される。コンパレータ７５は、ピークホールド回路７４から出力された受信レベルの最大値と出力基準電圧とを比較して、比較結果を出力する。出力判定器７７は、シュミット回路７６からの入力信号とコンパレータ７５からの入力信号との論理積を演算するＡＮＤ回路であり、シュミット回路７６から球通過検知があったことを示す検出信号が出力され、かつ、コンパレータ７５から検出信号の受信レベルの最大値が出力基準電圧以下であったことを示す比較結果が入力された場合にのみ、磁気検出素子７１での検知が正常であると判別して、球検知信号を出力する。
【００３５】
電波発信器によって意図的に電磁波が飛ばされたりして不正行為が行われると、コンパレータ７５から、検出信号の受信レベルの最大値が出力基準電圧を超えたことを示す比較結果が出力される。この場合、出力判定器７７は、コンパレータ７５により、磁気検出素子７１が受信した電気信号レベルが、所定領域をパチンコ球が通過した際に受信される電気信号レベルよりも大きい出力基準電圧を超える所定電気信号レベルであったことが検出されたため、不正が行われたものと判定し、異常検知信号を出力する。ピークホールド回路７４，コンパレータ７５，および出力判定器７７は、所定領域をパチンコ球が通過する際に生じる物理現象とは異なる物理現象の変化を磁気検出素子７１が検出したことに基づいて不正を検出する不正検出手段を構成している。
【００３６】
出力パルス発生回路７８は、出力判定器７７から球検知信号または異常検知信号が入力されると、パルス発生回路７９から入力される同期パルスに同期して、入力した球検知信号または異常検知信号をメインＣＰＵ３１に出力する。出力パルス発生回路７８は、不正検出手段が不正を検出したことに基づいて不正を検出したことを示す異常検知信号を不正信号として出力する出力手段を構成している。本実施形態では、出力パルス発生回路７８は、異常検知信号を、不正検出手段が不正を検出していないときの球検知信号と異なる長さで出力する。メインＣＰＵ３１は、パチンコ機１０の動作を制御する制御手段を構成している。出力パルス発生回路７８は、不正検出手段が不正を検出したことに基づいてメインＣＰＵ３１に異常検知信号を出力して、メインＣＰＵ３１によるパチンコ機１０の動作の制御を不正の検出に応じた制御にさせる。本実施形態では、異常報知ＬＥＤ１５ｂを点灯させて不正があったことを報知する制御にさせる。上述した各回路には、レギュレータなどから構成される定電源回路８０により、安定的な電圧が供給されている。
【００３７】
次に、上記の構成をした本実施形態によるパチンコ機１０において、各スイッチ２０Ｓ，２１Ｓ，２２Ｓ，２２Ｖ，２３Ｓ，６３，６４によるパチンコ球の通過検出について、始動入賞球スイッチ２１Ｓを例に挙げて説明する。
【００３８】
磁気検出素子７１が磁気の変化を検出していない場合には、シュミット回路７６で下限レベル以上の受信レベルが検出されないため、シュミット回路７６からは検出信号が出力されない。このため、ピークホールド回路７４は動作せず、出力判定器７７および出力パルス発生回路７８も動作しない。従って、出力パルス発生回路７８からは何の信号も出力されない。
【００３９】
この状態からパチンコ球が始動入賞口２１に入賞して、磁気検出素子７１が磁気の変化を検出すると、シュミット回路７６で下限レベル以上の受信レベルが検出され、シュミット回路７６は検出信号を出力する。従って、ピークホールド回路７４に検出信号が入力され、ピークホールド回路７４は動作を開始し、ピークホールド回路７４からコンパレータ７５の非反転入力端子に受信レベルの最大値が入力される。コンパレータ７５の反転入力端子に与えられる出力基準電圧は、パチンコ球が始動入賞口２１に入賞したときに非反転入力端子に入力される受信レベルの最大値よりも高く設定されているので、コンパレータ７５からは受信レベルの最大値が出力基準電圧以下であったことを示す比較結果が出力される。よって、出力判定器７７には、シュミット回路７６から検出信号が入力され、かつ、コンパレータ７５から受信レベルの最大値が出力基準電圧以下であったことを示す比較結果が入力されるので、出力判定器７７は、磁気検出素子７１で球通過の検知が正常に行われたものと判定して、球検知信号を出力する。出力パルス発生回路７９には出力判定器７７からは球検知信号が入力されるため、出力パルス発生回路７９から球検知信号がメインＣＰＵ３１に出力される。従って、メインＣＰＵ３１は、入力した球検知信号に基づいて、特別図柄ゲームを開始させる制御を行う。
【００４０】
また、不正電波の影響による磁気の変化を磁気検出素子７１が検出すると、不正電波の影響により、磁気検出素子７１からコンパレータ７５の非反転入力端子に入力される受信レベルは、コンパレータ７５の反転入力端子に与えられる出力基準電圧よりも高くなる。このため、出力判定器７７では、シュミット回路７６から検出信号が入力されるが、コンパレータ７５から受信レベルの最大値が出力基準電圧を超える比較結果が入力されるため、出力判定器７７は、磁気検出素子７１での検知が異常であると判定して、異常検知信号をメインＣＰＵ３１に出力する。従って、メインＣＰＵ３１は、入力した異常検知信号に基づいて、異常報知ＬＥＤ１５ｂを点灯させる制御を行う。
【００４１】
図４（ａ）は、出力パルス発生回路７９からメインＣＰＵ３１に出力される球検知信号、同図（ｂ）は異常検知信号のタイミングチャートである。
【００４２】
出力パルス発生回路７９から出力される球検知信号は、同図（ａ）に示すように、時刻ｔ０〜ｔ３までの時間長さを有している。また、出力パルス発生回路７９から出力される異常検知信号は、時刻ｔ０〜ｔ５までの時間長さを有している。メインＣＰＵ３１では、所定の時間間隔（本実施形態ではｔ１，ｔ２，ｔ４の時間間隔）で、出力パルス発生回路７９からの出力レベルが判別されている。
【００４３】
メインＣＰＵ３１は、時刻ｔ１およびｔ２でハイレベルの信号入力が検知され、時刻ｔ４でローレベルの信号入力が検知されると、同図（ａ）に示す球検知信号が入力されたと判別する。また、メインＣＰＵ３１は、時刻ｔ１，ｔ２，およびｔ４でハイレベルの信号入力が検知されると、同図（ｂ）に示す異常検知信号が入力されたと判別する。
【００４４】
本実施形態によるこのようなパチンコ機１０によれば、上述したように、不正行為が行われて、出力判定器７７が不正を検出して異常検知信号を出力し、出力パルス発生回路７８は不正を検出したことを示すパルス幅の長い図４（ｂ）に示す異常検知信号を出力する。このため、この異常検知信号を用いることにより、不正検出時に単に賞球の払い出しを従来のように一時的に中止するだけでなく、不正行為を行っている遊技者の遊技そのものを中止させたり、パチンコ機１０を管理する管理者側が不正を摘発するといった、根本的な不正防止対策を講じることも可能となる。
【００４５】
また、本実施形態によるパチンコ機１０によれば、コンパレータ７５によって検知信号の受信レベルが出力基準電圧を超える比較結果が検出されて、出力パルス発生回路７９から異常検知信号が出力されると、この異常検知信号を受信したメインＣＰＵ３１によってパチンコ機１０の動作の制御が不正の検出に応じた制御になる。このため、例えば、上述したように不正行為を報知したり、パチンコ球の発射制御，賞球払出，特別図柄の変動等を中止するといったパチンコ機１０の制御を行うことが可能となる。
【００４６】
電波発信機によって意図的に電波を飛ばし、磁気検出素子７１に誤検出をさせることによって不正に賞球の払出を受ける不正行為の場合、ピークホールド回路７４でホールドされる電気信号レベルはパチンコ球通過の際にピークホールド回路７４でホールドされる電気信号レベルに比して大きくなる。従って、本実施形態によるパチンコ機１０によれば、磁気検出素子７１が検出した磁気の変化により検知された信号の電気信号レベルが、通過孔２０、始動入賞口２１、大入賞口２２、一般入賞口２３、または大入賞口２２内部の特定領域をパチンコ球が通過した際に受信される電気信号レベルよりも大きいレベルだった場合に、不正判定手段により不正と判定されるので、電磁波を利用した不正行為を防止することができる。
【００４７】
また、本実施形態によるパチンコ機１０によれば、不正信号である異常検知信号は、出力判定器７７が不正を検出していないときと信号の長さが異なるだけなので、出力判定器７７から出力される信号を受信して、受信した信号が異常検知信号であるか否かを見分ける回路を簡単な回路構成にすることができる。本実施形態では、メインＣＰＵ３１による、異常検知信号であるか否かを見分ける処理を簡単なものにすることができる。
【００４８】
なお、上記実施形態の説明では、出力パルス発生回路７９から出力された球検知信号または異常検知信号がパチンコ機１０のメインＣＰＵ３１に入力される場合について説明した。しかし、複数のパチンコ機１０の管理や監視を行う遊技機管理装置に球検知信号または異常検知信号が入力される構成としてもよい。この構成によれば、遊技機管理装置が異常検知信号をを受信することにより、球検知信号が出力されたパチンコ機１０の動作を中止させることや、パチンコ機１０を管理する管理者側が異常検知信号が出力されたパチンコ機１０の早期発見をすることができる。これにより、単に不正行為者に対して不正行為に対する賞球の払出を防止するだけでなく、不正行為者が遊技を行うこと自体も防止できる。また、異常検知信号が出力されたパチンコ機１０を発見することによって、不正行為者を摘発することもできるので、根本的な不正防止対策を講じることも可能となる。
【００４９】
また、上記実施形態の説明では、コンパレータ７５からの出力信号およびシュミット回路７６からの出力信号に基づき出力判定器７７で判定を行った後、出力パルス発生回路７８から球検知信号または異常検知信号を出力した場合について説明した。しかし、出力判定器７７および出力パルス発生回路７８を介さずに、コンパレータ７５およびシュミット回路７６から直接メインＣＰＵ３１に信号を出力する構成としてもよい。
【産業上の利用可能性】
【００５０】
上記の実施形態においては、本発明による遊技機をパチンコ機に適用した場合について説明したが、本発明はこれに限られるものではない。遊技球が通過可能な遊技盤の所定領域で生じる物理現象の変化を検出する検出部を備える他の遊技機に本発明を適用した場合においても、上記の実施形態と同様な作用効果が奏される。
【図面の簡単な説明】
【００５１】
【図１】本発明の一実施形態によるパチンコ機の正面図である。
【図２】本発明の一実施形態によるパチンコ機の回路構成の概略を示すブロック図である。
【図３】本発明の一実施形態によるパチンコ機における遊技球検出スイッチの回路図である。
【図４】本発明の一実施形態によるパチンコ機の出力パルス発生回路から出力される信号のタイミングチャートである。
【符号の説明】
【００５２】
１…パチンコ機
２…遊技盤
１０…特別図柄表示装置
１１…普通図柄表示装置
１３…通過孔
１４…普通電動役物
３０…主制御基板
３１…メインＣＰＵ（中央演算処理装置）
３３…メインＲＯＭ（読み出し専用メモリ）
３４…メインＲＡＭ（読み書き可能メモリ）
４０…副制御基板
６０…枠制御基板
７１…磁気検出素子
７２…増幅器
７３…ノイズフィルタ
７４…ピークホールド回路
７５…コンパレータ
７６…シュミット回路
７７…出力判定器
７８…出力パルス発生回路
７９…パルス発生回路
８０…定電源回路
【図１】
2007007034.tif 000003
【図２】
2007007034.tif 000004
【図３】
2007007034.tif 000005
【図４】
2007007034.tif 000006